【事件の表示】
　平成　４年特許願第２８０７５０号「液晶表示素子の駆動法」拒絶査定不服審判事件〔平成　６年　２月　４日出願公開、特開平　６−　２７９０６〕について、次のとおり審決する。
【結　論】
　本件審判の請求は、成り立たない。
【理　由】
１．手続の経緯・本願発明 
　本願は、平成４年７月８日（優先権主張平成３年７月８日、平成３年８月１６日、平成４年４月２２日、平成４年５月１５日）に出願された平成４年特許願第２０４４７９号の１部を分割して平成４年９月２５日に出願されたものであって、本願の請求項１〜３に係る発明は、平成１１年７月８日付け手続補正書により補正された明細書及び図面の記載からみて、その特許請求の範囲の請求項１〜３に記載されたとおりのものであって、その請求項１に係る発明（以下、「本願発明」という。）は次のとおりのものと認める。 
 【本願発明１】「Ｊ×Ｌ本以上の行電極と複数の列電極（Ｊ，Ｌはそれぞれ２以上の整数）とからなるマトリクス型液晶表示素子であって、ジフルオロスチルベン系の液晶および／またはトラン系の液晶を含む液晶組成物を用いた液晶表示素子の駆動法において、
　複数の選択パルスからなる選択パルス列を、少なくとも同時に選択される複数の行電極分準備し、該複数の行電極に同時に、該選択パルス列内の選択パルスを順次印加することにより、行電極の選択を行い、
　選択パルスを１フレーム周期内で分散して印加することにより、選択パルスで励起された光学状態が、選択パルスが印加されない期間中に緩和する量を小さくするようにし、
　行電極サブグループを構成するＬ本の行電極のうち、一部を、仮想的な電極とするとともに、
　行電極に印加する電圧については、非選択時の電圧を０とすると、選択時に印加される選択パルスのパルス高は＋Ｖr ，−Ｖr （Ｖr ＞０）のいずれかの電圧レベルをとるものとし、
　ｊ番目の行電極サブグループの選択は、以下の（ａ）および（ｂ）のように定められた選択電圧列を構成する選択電圧ベクトルの要素がｊ番目の行電極サブグループを構成する行電極に印加される選択パルスのパルス高に対応するように、順次電圧印加されることによりなされ、
　列電極には、選択パルスのパルス高の＋Ｖr を１に、−Ｖr を０に対応させた値と、いったん表示メモリにたくわえた後取り出した０または１からなる表示データとの排他的論理和を行電極サブグループについて加算した値に対応するパルス高を持つパルスを印加する、駆動法。
　　（ａ）要素が＋Ｖr もしくは−Ｖr からなり、自身の転置行列との積が単位行列のスカラー倍となるＬ行Ｋ列の行列Ａ＝［α1 ，α2 ，・・・，αq ，・・・，αK ］（ここで、αq はＬ個の要素を有する縦ベクトル）を選ぶ。ここで、Ｋはｐを自然数としてＬ≦２p ＝Ｋとなる整数である。
　　（ｂ）選択電圧列として、それを構成する選択電圧ベクトルが少なくともα1 ，α2 ，・・・，αK ，−α1 ，−α2 ，・・・，−αK の１個ずつを含んでなり、該選択電圧ベクトルが配列されたベクトルの列を選ぶ。」
 　 
２．引用刊行物記載の発明 
　原査定の拒絶の理由に引用された　T.N.RUCKMONGATHAN著「A GENERALIZED ADDRESSING TECHNIQUE FOR RMS RESPONDING MATRIX LCDS」 （CONFERENCE RECORD OF THE 1988 INTERNATIONAL DISPLAY RESEARCH CONFERENCE、CH-2678-1/88/0000-0080、１９８８年、ＩＥＥＥ、８０〜８５頁。以下、「引用刊行物Ａ」という。）には、 
（Ａ−１）「The analysis of scanning limitations of root-mean-square (rms) responding Liquid Crystal Displays (LCDs) by Alt and Pleshko [1] is an important milestone in the addressing of matrix LCDs.」（Alt氏 と Pleshko氏による液晶表示の実効値応答の走査限界に関する分析はマトリクス型液晶表示装置のアドレスに関して重要な指標となるものである。）（８０頁左欄Introductionの項１〜４行）こと、 
(Ａ−２)「The N rows to be multiplexed in a display are divided into (N/l（エル） ) non-intersecting subgroups, each consisting of 　l（エル）address lines. The data to be displayed in the selected subgroup in any one of the columns is an l（エル） -bit word represented by,
ｄｋｌ（エル）＋１ 、ｄｋｌ（エル）＋２、・・・ｄｋｌ（エル）＋ｌ（エル）；ｄｋｌ（エル）＋ｊ=0 or 1 (1)
wherein, logic 0 and logic 1 represent the OFF and ON pixels respectively. The row-select pattern is again an l（エル）-bit word represented by, 
ａｋｌ（エル）＋１ 、ａｋｌ（エル）＋２、・・・ａｋｌ（エル）＋ｌ（エル）；ａｋｌ（エル）＋ｊ=0 or 1 (1)
The value of k ranges  from 0 to [(N/ｌ（エル )-1] corresponding to the selected subgroups.」（表示装置に多数配置されたＮ本の行はｌ（エル）個のアドレス線からなるＮ／ｌ（エル）個の独立したサブグループに分けられる。任意の列で選択されたサブグループに表示されるデータは次のようなｌ（エル）ビット語で表される。
ｄｋｌ（エル）＋１、ｄｋｌ（エル）＋２、・・・、ｄｋｌ（エル）＋ｌ（エル）；ｄｋｌ（エル）＋ｊ＝0 or 1　（１）
　ここで論理０と論理１はそれぞれ画素のオフとオンを表す。行選択パターンもまた次のようなｌ（エル）ビット語で表される。
ａｌ（エル）＋１、ａｋｌ（エル）＋２、・・・、ａｋｌ（エル）＋ｌ（エル）；ａｋｌ（エル）＋ｊ＝0 or　1　（２）
　ｋの値は選択されるサブグループに応じて０から〔Ｎ／ｌ（エル）−１〕の範囲をとる。）（８０頁左欄Techniqueの項１〜１２行）こと、 
（Ａ−３）「The various steps involved in this technique are given below:
 i) One sub-group is selected at a time for addressing;
 ii) An　l（エル） -bit word is chosen as the row-select pattern;
iii） The row-select voltages are -Vr for logic 0 and +Vr for logic 1, while the (N-ｌ（エル） ) unselected rows are grounded;
iv) The row-select and the data patterns in the selected subgroup are compared bit-by-bit using digital comparators, viz., exclusive-OR gates;
v) The number of mismatches i between these two patterns is determined by counting the number of exclusive-OR gates with logic 1 output.
 ・・・
vi） The column voltage is chosen to be Vi, if the number of mismatches is i;」（この技術に含まれる種々の段階は以下のように行われる。i）アドレス時には１つのサブグループが１度に選択される。ii）行の選択パターンとしてｌ（エル）ビット語が選択される。iii）（Ｎ−ｌ（エル））本の選択されない行が接地されているときに、行の選択電圧は論理０に対しては−Ｖｒ、論理１に対しては＋Ｖｒである。iv）選択されたサブグループの行選択パターンとデータパターンがデジタルコンパレータ、即ち排他的論理和ゲートを利用してビットごとに比較される。v）出力が論理１となる排他的論理和ゲートの数を計数することにより２つのパターンの非整合の数ｉが求まる。・・・非整合の数がｉであれば列電圧としてＶｉが選ばれる。）（８０頁左欄Techniqueの項下から９〜右欄１２行）こと、 
（Ａ−４）「X) A cycle is completed when all the subgroups (=N/ｌ（エル） ) are selected with all the 2 l（エル）row-select patterns　once. 」（X）一度すべてのサブグループ（Ｎ／ｌ（エル）個）についてすべての２ｌ（エル）個の行選択パターンが選択されたときに１周期が終わる。）（第８０頁右欄２４〜２６行）こと、 
（Ａ−５）「 - A subgroup can be selected with 2j row-select patterns consecutively before selecting the next subgroup. Here j can range from 0 to l（エル）.
 - The order in which the subgroups are selected can also be changed as long as all the subgroups are selected with all the 2 ｌ（エル） row-select patterns. 」（サブグループは次のサブグループが選択される前に２ｊ個の行選択パターンが連続的に選択される。ここでｊは０〜ｌ（エル）の範囲である。選択されるサブグループの順序はすべてのサブグループが２ｌ（エル）個の行選択パターンをすべて選択するまで変更可能である。）（８０頁右欄下から６〜最下行）こと、
（Ａ−６）「IHAT requires N to be an integral multiple of l（エル） . This condition is imposed only to reduce the number of time intervals to complete a cycle. Displays which do not meet this condition can also be addressed with IHAT by adopting any one of the following approaches;- Additional dummy rows (not connected to the display) can be introduced to satisfy the addressing requirement, or 
 - Subgroups can be overlapped; after selecting l（エル）−rows a new subgroup can be formed by dropping one row and adding a new row to the subgroup.」（ＩＨＡＴ法はＮがｌ（エル）の整数倍である必要がある。この条件は１周期を終えるための多くの時間間隔を少なくすることが必要とされるときに課せられるものである。このような条件を満たさない表示装置は次の手法の何れかを採用したＩＨＡＴ法によってアドレスすることができる。−　付加的なダミー行（表示と関係しない）がアドレスに必要な条件、などを満たすために設けられる。−　サブグループは一部重複させることができる、つまり、ｌ（エル）個の行が選択されたときに、１行削除されたり、新しい行がサブグループに付加されたりして新しいサブグループが形成される。） （８３頁右欄Discussionの項１〜１２行）こと、 
（Ａ−７）「The IHAT is well suited for addressing matrix displays based on both twisted nematic and super-twisted birefringence effects (SBE) for the following reasons;」（ＩＨＡＴ法は次の理由でツイストネマチックやスーパツイストの複屈折効果（ＳＢＥ）に基づいたマトリクス型表示装置のアドレスに好都合である。）（８３頁右欄Discussionの項１６〜１８行）ことが記載されている。
（Ａ−８）８１頁右欄の図２（ＦＩＧ．２）には、３個の行を１組とした２つのサブグループのうちの各サブグループそれぞれの３個の行に同時に選択パターンの電圧を印加する際に、３個の行を上行（Ｒ１）、中行（Ｒ２）、下行（Ｒ３）とすると、各行には時系列的に以下の選択パターンの電圧が印加され、選択パターンが印加されないときは０の電圧が印加されることが描かれている。
上行（Ｒ１）：−Vr、−Vr、−Vr、＋Vr、＋Vr、＋Vr、−Vr、＋Vr
中行（Ｒ２）：−Vr、−Vr、＋Vr、＋Vr、＋Vr、−Vr、＋Vr、−Vr
下行（Ｒ３）：−Vr、＋Vr、＋Vr、＋Vr、−Vr、＋Vr、−Vr、−Vr
  
 以上の記載のうち上記（Ａ−１）〜（Ａ−８）の記載を参照すると、上記引用刊行物Ａには、 
「ｌ（エル）×（Ｎ／ｌ（エル））本の行（row）とからなるマトリクス型液晶表示装置（matrix LCDs）であって、ツイストネマチックやスーパツイストの複屈折効果（ＳＢＥ）に基づいた（based on both twisted nematic and super-twisted birefringence effects (SBE)）液晶表示装置（ Liquid Crystal Displays ）のアドレス（addressing）方法であって、
　ｌ（エル）本の行からなるサブグループ（ subgroups ）を同時に選択して、２ｌ（エル）からなる行選択パターン（the row-select pattern）の行選択電圧（The row-select voltages）を印加し、
　Ｎがｌ（エル）の整数倍（ N to be an integral multiple of l（エル））である条件を満たさない場合は付加的なダミー行（表示と関係しない）（Additional dummy rows (not connected to the display) ）がアドレスに必要な条件（the addressing requirement）、などを満たすために設けられ、
　行の選択電圧（The row-select voltages ）については、選択パターンが印加されない行には０の電圧が印加され、選択パターンが印加される行には＋Ｖｒ、−Ｖｒの電圧が印加され、
　列電圧は、選択されたサブグループの行選択パターンとデータパターン（ data patterns）の排他的論理和ゲート（exclusive-OR gates）の非整合の数ｉ（The number of mismatches i）を計数し、計数したｉに応じて選ばれた電圧Ｖｉが選ばれ、
　ｌ（エル）＝３の場合に、３個の行を１組とした２つのサブグループのうちの各サブグループそれぞれの３本行には以下の選択パターンの電圧が時系列的に印加される表示装置のアドレス方法。
上行（Ｒ１）：−Vr、−Vr、−Vr、＋Vr、＋Vr、＋Vr、−Vr、＋Vr
中行（Ｒ２）：−Vr、−Vr、＋Vr、＋Vr、＋Vr、−Vr、＋Vr、−Vr
下行（Ｒ３）：−Vr、＋Vr、＋Vr、＋Vr、−Vr、＋Vr、−Vr、−Vr」
の発明（以下「引用発明」という。）が記載されている。
　また、同じく、原査定の拒絶の理由に引用された特開昭６１−５０３１号公報（以下、「引用刊行物Ｂ」という。）には、
（Ｂ−１）「３．発明の詳細な説明　本発明は電気工学的表示材料として有用な新規トラン系炭化水素化合物に関する。」（１頁左下欄９〜１１行）こと、
（Ｂ−２）「これらの液晶表示セルの中で現在主流をなすものは、電界効果型セルの一種のＴＮ型セルである。このＴＮ型セルにおいては・・・セルに充填される液晶材料の屈折率の異方性（Δｎ）とセルの厚さ（ｄ）μｍの積を或る特定の値に設定する必要がある。・・・さらに応答時間（τ）は液晶の粘度（η）との比例関係（τ∝η）がある。すなわちΔｎの値が小さく低粘度の液晶材料は高速応答の液晶表示セルを製作するのに極めて重要な材料である。・・・これらの材料は混合液晶の粘度を低下させることができる反面、Δｎを低下させるという欠点をもっている。本発明に係る式（Ｉ）の化合物は、この欠点を改善したものであり、各種の母体液晶に混合した場合、粘度を低下させΔｎを低下させないすぐれた特性を有する。すなわち、式（Ｉ）の化合物を使用することによつて車載用デイスプレー等に有用な高速応答用混合液晶を容易に調製することができる。」（２頁左上欄２行〜左下欄１行）ことが記載されている。
　
　さらに、同じく、原査定の拒絶の理由に引用された特開平２−１２１９３６号公報（以下、「引用刊行物Ｃ」という。）には、
（Ｃ−１）「（１）式Ｉ・・・で示されるトラン化合物。」（特許請求の範囲）
（Ｃ−２）［技術分野］本発明は下記の式Ｉで示される化合物に関し、またはこれらの化合物を液晶相の成分として使用することに関する。」（２頁左上欄１７〜２０行）こと、
（Ｃ−３）「式Ｉで示される化合物は、特にねじれセル（ＳＢＥ・・・などのような比較的大きなねじれ角を有するセルを包含する）の原則・・・にもとづく表示体用の、液晶相の成分として使用することができる。」（２頁右上欄１９行〜左下欄４行）こと、
（Ｃ−４）「式Ｉで示される物質は、・・・他方で、比較的大きなねじれ角を有するTNセル用の混合物で使用するのに、特に好適である。」（２頁右下欄５〜８行）ことが記載されている。
                                  　　　　　　　　　　　　　　　　
３．対比・判断 
 （３ａ−１）本願発明と引用発明とを対比する。 
「ｌ（エル）×（Ｎ／ｌ（エル））本の行（row）」、「マトリクス型液晶表示装置（matrix LCDs）」、「行選択パターン（the row-select pattern）」、「付加的なダミー行（表示と関係しない）（Additional dummy rows (not connected to the display) ）」「ｌ（エル）本の行」、「データパターン（ data patterns）」、「非整合の数ｉ（The number of mismatches i）を計数」がそれぞれ本願発明の「Ｊ×Ｌ本の行電極」、「液晶表示素子」、「複数の選択パルスからなる選択パルス列」、「仮想的な電極」、「Ｌ本の行電極」、「表示データ」、「加算した値」に相当する。
　そして、液晶表示装置は液晶の組成物が設けて構成されていることは明らかである。
　さらに、引用刊行物Ａの上記（Ａ−５ ）には「サブグループは次のサブグループが選択される前に２ｊ個の行選択パターンが連続的に選択される。ここでｊは０〜ｌ（エル）の範囲である、選択されるサブグループの順序はすべてのサブグループが２ｌ（エル）個の行選択パターンをすべて選択するまで変更可能である。」ことが記載されており、この記載においてすべてのサブグループがｊ＝０のときの選択パターン、つまり、１つの選択パターンのみが選択された場合を考慮すると１つのサブグループが次のサブグループが選択される前には１つの選択パターンのみが選択され、これがすべてのサブグループに対して２ｌ（エル）個の選択パターンが選択され尽くすまで行われることとなり、この場合は本願発明と同様に行選択パターンが１フレーム周期内で分散されて印加されることとなる。
　また、引用刊行物Ａの上記（Ａ−６）には「（ＩＨＡＴ法はＮがｌ（エル）の整数倍である必要がある。・・・このような条件を満たさない表示装置は次の手法の何れかを採用したＩＨＡＴ法によってアドレスすることができる。−　付加的なダミー行（表示と関係しない）がアドレスに必要な条件、などを満たすために設けられる。」ことが記載されており、これはＮがｌ（エル）の整数倍より小さい場合は不足する行を表示に関係しない付加的なダミー行、即ち、仮想的な行を設けてアドレスに必要な条件である２ｌ（エル）個の行選択パターンを同一サブグループに同時に印加することを満たすようにしていることを意味するから、引用発明においても行電極サブグループを構成するＬ本の行電極のうち、一部を、仮想的な電極とすることが記載されていることになる。
　ところで、引用発明には、　ｌ（エル）＝３の場合に、３本行には
上行（Ｒ１）：−Vr、−Vr、−Vr、＋Vr、＋Vr、＋Vr、−Vr、＋Vr
中行（Ｒ２）：−Vr、−Vr、＋Vr、＋Vr、＋Vr、−Vr、＋Vr、−Vr
下行（Ｒ３）：−Vr、＋Vr、＋Vr、＋Vr、−Vr、＋Vr、−Vr、−Vr
　の選択パターンの電圧が時系列的に印加されており、これを本願発明と同様に行列として表現すると、
（数１）
上行（Ｒ１）：｜　−１　−１　−１　＋１　＋１　＋１　−１　＋１　｜
中行（Ｒ２）：｜　−１　−１　＋１　＋１　＋１　−１　＋１　−１　｜
下行（Ｒ３）：｜　−１　＋１　＋１　＋１　−１　＋１　−１　−１　｜
　となる。
　また、上記刊行物Ａの上記（Ａ−３）の「行の選択電圧は論理０に対しては−Ｖｒ、論理１に対しては＋Ｖｒである。」の規則によって表現し、本願発明の選択パターンで表現すると、
（数２）
上行（Ｒ１）：｜　０　０　０　１　１　１　０　１　｜
中行（Ｒ２）：｜　０　０　１　１　１　０　１　０　｜
下行（Ｒ３）：｜　０　１　１　１　０　１　０　０　｜
　となる。この選択パターンとして、上記数（２）を本願明細書の段落番号【００６３】〜【００６５】の例にならって本願発明の選択電圧ベクトルからなる選択電圧列（選択コード）を対応させると、上記数（２）の各列の行方向の選択電圧ベクトルは時系列的に、
α１＝（０００）、α２＝（００１）、α３＝（０１１）、−α１＝（１１１）、−α２＝（１１０）、α４＝（１０１）、−α４＝（０１０）、−α３＝（１００）
となり、引用発明においても選択電圧列がそれを構成する選択電圧ベクトルとして、α１、α２、α３、α４、−α１、−α２、−α３、−α４を１個ずつ含むように選択電圧ベクトルが配列されたベクトルの列を選んでいることになる。
　さらに、上記（１）を本願明細書の段落番号【００４４】と同様にα１、α２、α３、α４の選択電圧ベクトル（縦ベクトル）を行列として表現すると、
｜　−１　−１　−１　　＋１　｜
｜　−１　−１　＋１　　−１　｜
｜　−１　＋１　＋１　　＋１　｜
　の３行４列となる。この３行４列の転置行列は、
｜　−１　−１　−１　｜
｜　−１　−１　＋１　｜
｜　−１　＋１　＋１　｜
｜　＋１　−１　＋１　｜
　となり、自身の転置行列との積は、
　｜　１　０　０　｜
４｜　０　１　０　｜
　｜　０　０　１　｜
　となり、単位行列のスカラー倍となる。したがって、引用発明の場合はＬ＝３、Ｋ＝４の３行４列の行列Ａ＝［α１、α２、α３、α４］を選んでおり、本願発明と同様に　Ｌ（＝３）≦２ｐ（＝２）＝Ｋ（＝４）を満たすものである。
　また、上記引用刊行物Ａの上記（Ａ−２）、（Ａ−３）を参照すると、選択されたサブグループの行選択パターンの＋Ｖr を論理１，−Ｖrを論理０とした値と、０と１で表されるデータとの排他的論理和を計数、即ち加算した値ｉに対応する電圧Ｖｉを列電圧として印加することが記載されている。
　そうすると、本願発明と引用発明とは、 
「Ｊ×Ｌ本の行電極と複数の列電極（Ｊ，Ｌはそれぞれ２以上の整数）とからなるマトリクス型液晶表示素子であって、液晶組成物を用いた液晶表示素子の駆動法において、
　複数の選択パルスからなる選択パルス列を、少なくとも同時に選択される複数の行電極分準備し、該複数の行電極に同時に、該選択パルス列内の選択パルスを順次印加することにより、行電極の選択を行い、
　選択パルスを１フレーム周期内で分散して印加し、
　行電極サブグループを構成するＬ本の行電極のうち、一部を、仮想的な電極とするとともに、
　行電極に印加する電圧については、非選択時の電圧を０とすると、選択時に印加される選択パルスのパルス高は＋Ｖr ，−Ｖr （Ｖr ＞０）のいずれかの電圧レベルをとるものとし、
　ｊ番目の行電極サブグループの選択は、以下の（ａ）および（ｂ）のように定められた選択電圧列を構成する選択電圧ベクトルの要素がｊ番目の行電極サブグループを構成する行電極に印加される選択パルスのパルス高に対応するように、順次電圧印加されることによりなされ、
　列電極には、選択パルスのパルス高の＋Ｖr を１に、−Ｖr を０に対応させた値と０または１からなる表示データとの排他的論理和を行電極サブグループについて加算した値に対応するパルス高を持つパルスを印加する、駆動法。
　　（ａ）要素が＋Ｖr もしくは−Ｖr からなり、自身の転置行列との積が単位行列のスカラー倍となるＬ行Ｋ列の行列Ａ＝［α1 ，α2 ，・・・，αq ，・・・，αK ］（ここで、αq はＬ個の要素を有する縦ベクトル）を選ぶ。ここで、Ｋはｐを自然数としてＬ≦２p ＝Ｋとなる整数である。
　　（ｂ）選択電圧列として、それを構成する選択電圧ベクトルが少なくともα1 ，α2 ，・・・，αK ，−α1 ，−α2 ，・・・，−αK の１個ずつを含んでなり、該選択電圧ベクトルが配列されたベクトルの列を選ぶ。」
である点で一致し、次の相違点（ア）〜（エ）で相違している。 
　
・相違点（ア） 
　Ｊ×Ｌ本の行電極と複数の列電極（Ｊ，Ｌはそれぞれ２以上の整数）とからなるマトリクス型液晶表示素子について、本願発明は「Ｊ×Ｌ本以上」としているのに対して、引用発明では「Ｊ×Ｌ本」である点。
　　
・相違点（イ）
　液晶組成物として、本願発明では、「ジフルオロスチルベン系の液晶および／またはトラン系の液晶を含む液晶組成物」のに対して、引用刊行物Ａにはそのような記載がない点。
　　　
・相違点（ウ）
　本願発明では「選択パルスを１フレーム周期内で分散して印加することにより、選択パルスで励起された光学状態が、選択パルスが印加されない期間中に緩和する量を小さくする」のに対して、引用刊行物Ａにはそのような表現がされていない点。
　
・相違点（エ）
　選択パルスのパルス高の＋Ｖr を１に、−Ｖr を０に対応させた値と０又は１からなる表示データとの排他的論理和をとる際に、本願発明では「表示メモリにたくわえた後取り出した０または１からなる表示データ」を用いているのに対して、引用刊行物Ａにはそのような記載がない点。　　　 
　　 
（３ａ−２）当審の判断 
 　そこで、上記相違点（ア）〜相違点（エ）について判断する。 
 ・相違点（ア）について 
　上記引用刊行物Ａの上記（Ａ−６）には「ＩＨＡＴ法はＮがｌ（エル）の整数倍である必要がある。この条件は１周期を終えるための多くの時間間隔を少なくすることが必要とされるときに課せられるものである。このような条件を満たさない表示装置は次の手法の何れかを採用したＩＨＡＴ法によってアドレスすることができる。・・・ｌ（エル）個の行が選択されたときに、１行削除されたり・・・して新しいサブグループが形成される。」ことが記載されていおり、これはＮが１つのサブグループを形成するｌ（エル）個の行の整数倍よりも大きくなり、Ｎがｌ（エル）の整数倍である条件を満たさなくなった場合はその余分の行が削除されることを意味するから、必要に応じて、行電極の数を「Ｊ×Ｌ本以上」とすることに格別の困難性は認められない。
・相違点（イ）について
 　液晶組成物にトラン系の液晶材料を含ませることは上記引用刊行物Ｂ及び引用刊行物Ｃに記載されており、このトラン系の液晶材料は引用発明と同様にＴＮ（ツイストネマチック）液晶やＳＢＥ液晶に用いられる液晶材料であるから、引用発明においても液晶組成物にトラン系の液晶材料を含ませることは当業者が容易になし得るものである。
　
・相違点（ウ）について
　引用発明のＴＮ型やＳＢＥ型の液晶に印加されていた電圧が解除された後は、時間と共に液晶分子はもとのねじれ状態に戻っていくことは自明な事項である。
　そして、引用発明においてもｊ＝０のときの選択パターン、つまり、１つの選択パターンのみが選択された場合に、１つの行選択パターンのパルスが液晶に印加されてから次の１つの行選択パターンのパルスが液晶に印加されるまでの時間間隔はｊが値ｌ（エル）を取るときの行選択パターンの時間間隔に比べて短くなり液晶分子がもとのねじれ状態に戻っていくまでの時間が短くなるから、引用発明においても行選択パターンが１フレーム周期内で分散されて印加されることとにより液晶分子がもとのねじれ状態に戻っていくまでの時間が短くなる、すなわち行選択パターンのパルスで励起された光学状態が、行選択パターンが印加されない期間中に緩和する量が小さくなることは明らかである。
　　
・相違点（エ）
　液晶においては表示メモリにたくわえられた表示データを列電極に供給することは例を挙げるまでもなく周知であり、引用発明の行選択パターンのデータと表示データとの排他的論理和を計数して供給する列電圧も列に印加されるものであるから、引用発明においても行選択パターンのデータとの排他的論理和をとるデータを周知の表示メモリから取り出すことも当業者であれば容易になし得るものである。
 　そして、本願発明によってもたらされる効果は、上記引用発明、引用刊行物Ｂ及び引用刊行物Ｃに記載された発明並びに周知の技術事項から予測される範囲内のものである。 
 　したがって、本願発明は、引用発明、引用刊行物Ｂ及び引用刊行物Ｃに記載された発明並びに周知の技術事項に基づいて当業者が容易に発明をすることができたものである。
　　 
　　
 ４．むすび 
 　以上のとおりであるから、本願発明は、特許法第２９条第２項の規定により特許を受けることができないものであり、その余の請求項に係る発明について検討するまでもなく、本願は、拒絶をすべきものである。
  　 
 　よって、結論のとおり審決する。